(57)【要約】【課題】発光色が異なる各発光ダイオードの配設の位置精度を要せずに、混じり合わされる放射光の色むらや輝度むらが抑制されるＬＥＤ照明器具を提供する。【解決手段】ＬＥＤ照明器具１は、並列的に接続された順方向電圧Ｖｆが略同等であって発光色が異なる発光ダイオード６，７を有するＬＥＤ回路２と、発光ダイオード６，７のそれぞれの１個が対を成して互いに近傍に位置するように実装されている基板３と、側面４ａから発光ダイオード６，７のそれぞれの放射光が入射され、上面４ｃおよび下面４ｄのいずれか一方の面から放射光が出射される導光板４と、それぞれの放射光の少なくとも一部が重なり合って導光板４の側面４ａに入射するように基板３および導光板４を配設している器具本体５を具備している。【選択図】図１
2008152983.tif 000002
【特許請求の範囲】
【請求項１】
第１の発光ダイオードとこの第１の発光ダイオードに直列的に接続された第１の限流素子とを有する第１の直列回路と、前記第１の発光ダイオードと順方向電圧が略同等であって発光色が異なる第２の発光ダイオードとこの第２の発光ダイオードに直列的に接続された第２の限流素子とを有する第２の直列回路とを有してなり、この第１および第２の直列回路が並列的に接続され、第１および第２の限流素子のそれぞれのインピーダンス値が第１および第２の直列回路に流れる電流が同等となるように設定されているＬＥＤ回路と；
第１および第２の発光ダイオードのそれぞれの１個が対を成して互いに近傍に位置するように実装されている基板と；
側面から第１および第２の発光ダイオードのそれぞれの放射光が入射され、上面および下面のいずれか一方の面から前記放射光が出射される導光板と；
第１および第２の発光ダイオードのそれぞれの放射光の少なくとも一部が重なり合って導光板の側面に入射するように基板および導光板を配設している器具本体と；
を具備していることを特徴とするＬＥＤ照明器具。
【請求項２】
第１および第２の発光ダイオードは、それぞれ直列的に接続された複数個からなり、それぞれの１個が対を成して等間隔で基板に実装され、この基板の対を成す第１および第２の発光ダイオード同士の間に第１および第２の限流素子が実装されていることを特徴とする請求項１記載のＬＥＤ照明器具。
【請求項３】
第１および第２の発光ダイオードと導光板の側面との最小距離は、２．５〜５．０ｍｍであることを特徴とする請求項１または２記載のＬＥＤ照明器具。
【請求項４】
第１の発光ダイオードは、高演色性を有する電球色光を放射するものであり、第２の発光ダイオードは、第１の発光ダイオードよりも演色性が低くかつ光量が大きい白色光を放射するものであることを特徴とする請求項１ないし３いずれか一記載のＬＥＤ照明器具。
【発明の詳細な説明】
【技術分野】
【０００１】
本発明は、発光色の異なる発光ダイオードを具備するＬＥＤ照明器具に関する。
【背景技術】
【０００２】
近年、発光ダイオードは、発光効率の改善が進み、大電流で光量の大きいものが開発されている。そして、発光色の異なる発光ダイオードからの放射光を混合させて白色光を得て照明光として利用することが行われている。例えば、複数のプリズムを使って別々の発光ダイオードからの放射光を混合する照明器具が提案されている（特許文献１参照。）。
【０００３】
この従来技術の照明器具は、第１および第２のプリズム、それらの中間にサンドイッチ状に設けられた半反射層を有し、第１および第２のプリズムに各発光ダイオードからの平行光が入射される。そして、各入射光は、第１および第２のプリズムのそれぞれの４５°傾斜の平行外側面の内部側への反射および４５°傾斜の半反射層での透過、反射によって混合されて白色光となり、第１および第２のプリズムから出射されるものである。
【特許文献１】特表２００３−５０３８２５号公報（第８頁、第１図）
【発明の開示】
【発明が解決しようとする課題】
【０００４】
特許文献１の照明器具は、発光ダイオード側での光学系や第１および第２のプリズムと発光ダイオードとの位置関係などの要因により、第１および第２のプリズムに平行光が入射されにくいものである。そして、発光ダイオードの発光色は、所定の波長分布を有するので、波長によって第１および第２のプリズムの入射面および出射面や半反射層での屈折方向が異なり、色の分離（カラーセパレーション）が発生する。これにより、第１および第２のプリズムから出射される出射光に色むらや輝度むらが発生することがある。
【０００５】
本発明は、発光色の異なる各発光ダイオードの配設の位置精度を要せずに、混じり合わされる放射光の色むらや輝度むらが抑制されるＬＥＤ照明器具を提供することを目的とする。
【課題を解決するための手段】
【０００６】
請求項１に記載のＬＥＤ照明器具の発明は、第１の発光ダイオードとこの第１の発光ダイオードに直列的に接続された第１の限流素子とを有する第１の直列回路と、前記第１の発光ダイオードと順方向電圧が略同等であって発光色が異なる第２の発光ダイオードとこの第２の発光ダイオードに直列的に接続された第２の限流素子とを有する第２の直列回路とを有してなり、この第１および第２の直列回路が並列的に接続され、第１および第２の限流素子のそれぞれのインピーダンス値が第１および第２の直列回路に流れる電流が同等となるように設定されているＬＥＤ回路と；第１および第２の発光ダイオードのそれぞれの１個が対を成して互いに近傍に位置するように実装されている基板と；側面から第１および第２の発光ダイオードのそれぞれの放射光が入射され、上面および下面のいずれか一方の面から前記放射光が出射される導光板と；第１および第２の発光ダイオードのそれぞれの放射光の少なくとも一部が重なり合って導光板の側面に入射するように基板および導光板を配設している器具本体と；を具備していることを特徴とする。
【０００７】
本発明および以下の各発明において、特に言及しない限り、各構成は以下による。
【０００８】
第１および第２の発光ダイオードは、表面実装形または砲弾形のいずれであってもよいが、占有空間の小さい表面実装形が好ましい。また、それぞれの数量は、１個または複数個のいずれであってもよい。
【０００９】
「順方向電圧が略同等」とは、主として、製造上のばらつきで生じている順方向電圧を許容することを意味する。第１および第２の限流素子は、第１および第２の発光ダイオードのそれぞれの順方向電圧のばらつきを調整しており、それぞれ抵抗とすることができる。
【００１０】
「第１および第２の発光ダイオードのそれぞれの１個が対を成して互いに近傍に位置する」とは、第１および第２の発光ダイオードから放射されたそれぞれの放射光が導光板の側面に入射するときに、少なくともそれぞれの一部が互いに重なり合うことのできる程度に離間して基板に実装されていればよいことを意味し、その離間距離は、互いに熱影響を及ぼさなければ小さいほど好ましい。
【００１１】
導光板は、例えばアクリル樹脂により所定の形状や大きさに形成され、上面および下面のいずれか一方に出射面が形成されたものである。そして、側面から入射した第１および第２の発光ダイオードのそれぞれの放射光を上面側および下面側で反射させて導光して出射面から出射させる。その導光しているときに、それぞれの放射光が混じり合わされるものである。
【００１２】
「第１および第２の発光ダイオードのそれぞれの放射光の少なくとも一部が重なり合って導光板の側面に入射する」とは、導光板の側面の一部分において、その一部分に第１および第２の発光ダイオードのそれぞれの放射光が入射されることを意味する。または、導光板の側面での第１および第２の発光ダイオードのそれぞれの配光の一部が重なり合っていることを意味する。
【００１３】
ＬＥＤ回路は、第１および第２の発光ダイオードと順方向電圧が略同等であって発光色が異なる第３の発光ダイオードおよびこの第３の発光ダイオードに直列的に接続された第３の限流素子とを有する第３の直列回路を有してもよい。第１ないし第３の発光ダイオードから放射されたそれぞれの放射光は、少なくとも一部が重なり合って導光板の側面に入射される。
【００１４】
本発明によれば、第１および第２の発光ダイオードにそれぞれ同等の電流が流れるので、第１および第２の発光ダイオードから放射されるそれぞれの放射光の光量の割合が同等となる。また、第１および第２の発光ダイオードのそれぞれの放射光の少なくとも一部が重なり合って導光板の側面に入射するので、導光板の側面でのそれぞれの放射光の入射領域が小さくなる。それぞれの放射光は、導光板の側面側で既に互いに近くなっているので、導光板の上面側および下面側で反射が繰り返されたときに互いに混じり合うようになる。そして、それぞれの放射光は、互いに混じり合った状態で導光板の出射面から外方に出射される。それぞれの放射光の光量が同等の割合であり、それぞれの放射光が互いに混じり合うことにより、色の分離（カラーセパレーション）の発生が抑制され、導光板の出射面での出射光の色むらや輝度むらが抑制される。
【００１５】
請求項２に記載のＬＥＤ照明器具の発明は、請求項１記載のＬＥＤ照明器具において、第１および第２の発光ダイオードは、それぞれ直列的に接続された複数個からなり、それぞれの１個が対を成して等間隔で基板に実装され、この基板の対を成す第１および第２の発光ダイオード同士の間に第１および第２の限流素子が実装されていることを特徴とする。
【００１６】
本発明によれば、第１および第２の発光ダイオードのそれぞれの１個が対を成して等間隔で基板に実装されているので、それぞれ複数個から放射された放射光は、導光板の内部を導光するときに均一に混じり合うようになり、導光板の出射面での色むらや輝度むらが抑制されて出射面の全領域から均一に出射される。また、第１および第２の限流素子が対を成す第１および第２の発光ダイオード同士の間に実装されるので、基板の大きさを最小にすることが可能となる。
【００１７】
請求項３に記載のＬＥＤ照明器具の発明は、請求項１または２記載のＬＥＤ照明器具において、第１および第２の発光ダイオードと導光板の側面との最小距離は、２．５〜５．０ｍｍであることを特徴とする。
【００１８】
前記最小距離が２．５を下回ると、導光板の側面において第１および第２の発光ダイオードのそれぞれの放射光を混じり合わせにくくなる。また、前記最小距離が５．０ｍｍを上回ると、導光板の側面の高さを大きくすることになり、導光板が大形化し、導光板の内部を導光する導光経路が長くなって放射光の損失が大きくなる。したがって、前記最小距離は、２．５〜５．０ｍｍとするものである。前記放射光を導光板の側面において混じり合わせやすくし、前記放射光の導光板での損失をより低減する観点からすると、前記最小距離は、３．０〜４．０ｍｍであることが好ましい。
【００１９】
本発明によれば、前記最小距離が２．５〜５．０ｍｍであることにより、導光板の側面で第１および第２の発光ダイオードからのそれぞれの放射光の少なくとも一部が容易に重なり合わせられるとともに、導光板の内部を導光する放射光の損失が抑制される。
【００２０】
請求項４に記載のＬＥＤ照明器具の発明は、請求項１ないし３いずれか一記載のＬＥＤ照明器具において、第１の発光ダイオードは、高演色性を有する電球色光を放射するものであり、第２の発光ダイオードは、第１の発光ダイオードよりも演色性が低くかつ光量が大きい白色光を放射するものであることを特徴とする。
【００２１】
白色光は、昼光色、昼白色または温白色の色光であってもよい。
【００２２】
本発明によれば、高演色性を有する電球色光と、この電球色光よりも演色性が低くかつ光量が大きい白色光とが導光板の内部を導光しているときに混じり合わされ、高演色性で光量が大きい白色光となって導光板の出射面から外方側に出射される。
【発明の効果】
【００２３】
請求項１の発明によれば、第１および第２の発光ダイオードから放射されるそれぞれの放射光の光量の割合を同等として、それぞれの放射光の少なくとも一部を重なり合わせて導光板の側面に入射させることにより、それぞれの放射光が導光板の内部で互いに同等の割合で混じり合って導光板の出射面から出射されるので、出射面での色むらや輝度むらを抑制することができて、違和感や不快感を与えにくい品質の向上する照明光を得ることができる。
【００２４】
請求項２の発明によれば、第１および第２の発光ダイオードのそれぞれ複数個から放射された放射光は、それぞれの１個が対を成して等間隔で基板に実装されていることにより、導光板の内部で互いに同等の割合で混じり合って導光板の出射面の全領域から均一に出射されるので、色むらや輝度むらが抑制された均一な照明光で被照射面を明るく照明することができるとともに、第１および第２の限流素子が対を成す第１および第２の発光ダイオード同士の間に実装されることによって基板の大きさを抑制できるので、ＬＥＤ照明器具を小形化することができる。
【００２５】
請求項３の発明によれば、第１および第２の発光ダイオードと導光板の側面との最小距離は、２．５〜５．０ｍｍであるので、第１および第２の発光ダイオードを実装している基板を導光板の側面に位置精度を要せずに容易に配設することができるとともに、導光板での放射光の損失が抑制される照射効率の向上する照明光を得ることができる。
【００２６】
請求項４の発明によれば、第１の発光ダイオードから放射される高演色性を有する電球色光と、第２の発光ダイオードから放射される電球色光よりも演色性が低くかつ光量が大きい白色光とが互いに同等の割合で混じり合わされて導光板の出射面から出射されるので、被照射面を高演色性の白色光で明るく照明することができる。
【発明を実施するための最良の形態】
【００２７】
以下、本発明の一実施の形態について、図面を参照して説明する。
【００２８】
図１ないし図５は、本発明の一実施の形態を示し、図１はＬＥＤ照明器具の概略側面図、図２はＬＥＤ照明器具のカバーが取り外された状態の概略上面図、図３は導光板の側面側における導光板および基板のそれぞれの概略上面図、図４は基板の概略上面図、図５はＬＥＤ回路の回路図である。
【００２９】
ＬＥＤ照明器具１は、図１に示すように、ＬＥＤ回路２、基板３、導光板４および器具本体５を有して構成されている。
【００３０】
ＬＥＤ回路２は、図５に示すように、直列的に接続された複数個の第１の発光ダイオード６と、直列的に接続された複数個の第２の発光ダイオード７と、第１の限流素子としての抵抗Ｒ１および第２の限流素子としての抵抗Ｒ２を有して構成されている。第１の発光ダイオード６および第２の発光ダイオード７は、同数となっている。
【００３１】
第１の発光ダイオード６は、例えばＩｎＧａＮ系であり、発光色が電球色である表面実装形に形成されている。そして、電球色光の放射光は、平均演色評価数（Ｒａ）が例えば８８の高演色性を有している。また、第２の発光ダイオード７は、例えばＩｎＧａＮ系であり、第１の発光ダイオード６と同様に表面実装形に形成され、発光色が白色となっている。この白色の放射光は、平均演色評価数（Ｒａ）が例えば７９であり、第１の発光ダイオード６の放射光（電球色光）よりも低い演色性を有するものであるが、放射される光量が大きいものである。
【００３２】
第１および第２の発光ダイオード６，７は、発光色が異なるが、順方向電圧Ｖｆが略同等例えば３．２〜３．３Ｖに形成されている。この順方向電圧Ｖｆのばらつき例えば３．２〜３．３Ｖは、主として製造上のばらつきによるものである。
【００３３】
抵抗Ｒ１は、直列的に接続された第１の発光ダイオード６に直列的に接続され、第１の発光ダイオード６と第１の直列回路８を形成している。また、抵抗Ｒ２は、直列的に接続された第２の発光ダイオード７に直列的に接続され、第２の発光ダイオード７と第２の直列回路９を形成している。そして、第１の直列回路８と第２の直列回路９は、並列的に接続されている。
【００３４】
抵抗Ｒ１および抵抗Ｒ２は、第１および第２の発光ダイオード６，７のそれぞれの順方向電圧Ｖｆのばらつきを調整するものであり、第１および第２の直列回路８，９（第１および第２の発光ダイオード６，７）に流れる電流が同等となるようにそれぞれの抵抗値（インピーダンス値）が設定されている。
【００３５】
そして、並列的に接続された第１の直列回路８および第２の直列回路９の両方に対して、ＮＰＮ形トランジスタＴｒ１および互いに並列的に接続された抵抗Ｒ３〜抵抗Ｒ６が直列的に接続されている。第１および第２の直列回路８，９、トランジスタＴｒ１および抵抗Ｒ３〜抵抗Ｒ６の直列回路の両端は、それぞれ入力端子１０ａ，１０ｂに接続されている。この入力端子１０ａ，１０ｂ間には、抵抗Ｒ７およびツェナーダイオードＺＤ１の直列回路が接続されている。トランジスタＴｒ１のベースは、抵抗Ｒ７およびツェナーダイオードＺＤ１の中点ａ１に接続されている。
【００３６】
入力端子１０ａ，１０ｂ間には、図示しない点灯装置の出力電圧例えばＤＣ２４Ｖが供給される。その出力電圧は、抵抗Ｒ７およびツェナーダイオードＺＤ１によって分圧され、ツェナーダイオードＺＤ１のツェナー電圧がトランジスタＴｒ１のベースに供給される。これにより、トランジスタＴｒ１がオンし、第１および第２の発光ダイオード６，７に点灯装置から供給される電流が流れて、第１および第２の発光ダイオード６，７が点灯（発光）する。第１および第２の発光ダイオード６，７には、抵抗Ｒ７の両端間電圧に応じた電流が流れる。
【００３７】
抵抗Ｒ３〜抵抗Ｒ６は、第１および第２の発光ダイオード６，７の温度による電流電圧特性の変化を補正するための抵抗であり、１個の抵抗に代えて設けられ、個々が同等の抵抗値を有して消費電力が低くなるようにしている。そして、第１および第２の発光ダイオード６，７、抵抗Ｒ１および抵抗Ｒ２などのＬＥＤ回路２の上記回路部品は、基板３に実装されている。
【００３８】
基板３は、例えばガラスエポキシ材やポリフェノール材などからなり、図４に示すように、例えば板厚１．６ｍｍ、幅１０ｍｍ、全長２４０ｍｍの細長い長方形に形成されている。ＬＥＤ回路２の各回路部品は、基板３の一方の面３ａに実装され、他方の面（図示しない。）には、回路部品同士などを電気接続する配線パターンが形成されている。
【００３９】
第１の発光ダイオード６および第２の発光ダイオード７は、それぞれの１個が対を成して互いに近傍に位置するようにして実装され、かつ基板３の長手方向に沿って等間隔で実装されている。そして、対を成す第１および第２の発光ダイオード６，７と対を成す第１および第２の発光ダイオード６，７との間（対を成す第１および第２の発光ダイオード６，７同士の間）に、抵抗Ｒ１〜抵抗Ｒ７、ツェナーダイオードＺＤ１およびトランジスタＴｒ１が適宜配置されている。これにより、基板３が小形化され、ＬＥＤ回路２の各回路部品からの熱が分散される。
【００４０】
また、基板３の両端側の一方の面３ａには、それぞれ例えば銅箔からなる入力端子１０ａ，１０ｂが形成されている。この入力端子１０ａ，１０ｂに点灯装置の出力線が接続される。また、基板３には、基板３を器具本体５にねじにより取り付けるための複数の孔１１が設けられている。
【００４１】
導光板４は、例えばアクリル樹脂からなり、例えば幅２５０ｍｍ、奥行き４０ｍｍｍ、高さ１０ｍｍの直方体に形成されている。そして、図１に示すように、幅側の一方の側面４ａが基板３の一方の面３ａに対向し、その側面４ａから第１の発光ダイオード６および第２の発光ダイオード７のそれぞれの放射光が入射され、幅側の他方の側面４ｂ側の上面４ｃの部分が前記放射光の出射面１２にされている。
【００４２】
そして、導光板４の下面４ｄの前記出射面１２に対向する部分には、図２に示すように、例えばシルクスクリーン印刷によって白色インクの反射膜１３が多数形成されている。反射膜１３は、円状に形成されていて、幅側の一方の側面４ａ側から他方の側面４ｂに向かうにつれ、その大きさ（直径）が次第に大きくなっている。すなわち、前記放射光は、導光板４の内部を導光する導光経路が長くなるほど導光板４に吸収されて、その光量が減少する。反射膜１３は、側面４ａ側から他方の側面４ｂに向かうにつれ次第に減少しながら導光される前記放射光を次第に多く反射させるようにして、導光板４の出射面１２から出射される前記放射光を均一化させている。
【００４３】
また、導光板４は、図１に示すように、側面４ａ側であって幅方向の両端側に、皿ねじが挿通される挿通孔１４がそれぞれ形成されている。
【００４４】
器具本体５は、熱伝導性の良好な金属例えばアルミニウム（Ａｌ）により形成され、奥行き方向の両端側にそれぞれ段部１５を有し、奥行き方向の中央部側に凹溝１６およびこの凹溝１６よりも深い凹溝１７を有し、凹溝１６および凹溝１７の両側が大きさの異なる一対の凸条部１８，１９となっている断面略下駄形に形成されている。器具本体５は、例えば幅２５０ｍｍ、奥行き８０ｍｍ、凸条部１８，１９の高さ１３ｍｍの大きさである。
【００４５】
一方の凸条部１８の上面１８ａには、図２に示すように、幅方向に等間隔で皿ねじが螺着される複数のねじ孔２０が形成されている。また、段部１５，１５には、それぞれ幅方向に等間隔でねじが挿入される複数の段付き孔２１が形成されている。器具本体５は、段付き孔２１に挿入されたねじにより、埋め込まれた壁面などの造営物の背面側に取り付けられる。また、図１に示すように、凹溝１６の底面１６ａには、器具本体５の幅方向の両端側において、それぞれ皿ねじが螺着されるねじ孔２２が形成されている。
【００４６】
そして、導光板４の挿通孔１４がねじ孔２２に対向するようにして、凹溝１６の底面１６ａに導光板４が配設されている。導光板４の上面４ｃの非出射面には、孔２３を有するスペーサ２４が配設され、一対の凸条部１８，１９のそれぞれの上面１８ａ，１９ａには、カバーとしての丸皿穴２５を有する拡散板２６が配設されている。
【００４７】
スペーサ２４は、例えばアルミニウム（Ａｌ）からなり、細長い長方形に形成され、例えば幅２５０ｍｍ、奥行き１０ｍｍ、高さ（板厚）２．４ｍｍである。孔２３は、器具本体５のねじ孔２２および導光板４の挿通孔１４に対向するように、図２に示すように、幅方向の両端側にそれぞれ設けられている。孔２３は、皿ねじの螺合部が挿通する大きさに形成されている。
【００４８】
拡散板２６は、例えば乳白のアクリル樹脂からなり、図１に示すように、奥行き方向の両端側にそれぞれ段部２７，２８、奥行き方向の中央部側に凸条部２９が形成されている。そして、例えば、幅が器具本体５と同じ寸法の２５０ｍｍ、奥行き６０ｍｍ、段部２７，２８の高さ２ｍｍ、凸条部２９の高さ７ｍｍの大きさである。
【００４９】
そして、段部２７の丸皿穴２５は、器具本体５の凸条部１８の上面１８ａに形成されたねじ孔２０に対向するように複数個が形成され、段部２８の丸皿穴２５は、器具本体５の凹溝１６の底面１６ａに形成されたねじ孔２２に対向するように複数個が形成されている。丸皿穴２５は、皿ねじの頭部が埋め込まれる大きさに形成されている。
【００５０】
そして、段部２７，２８のそれぞれの丸皿穴２５から図示しない皿ねじが器具本体５のねじ孔２０およびねじ孔２２に螺着されている。これにより、拡散板２６は、器具本体５の一対の凸条部１８，１９のそれぞれの上面１８ａ，１９ａに取り付けられ、かつスペーサ２４を介して導光板４を押圧している。導光板４は、凹溝１６の底面１６ａとスペーサ２４に挟持されて、凹部１６の底面１６ａに固定されている。
【００５１】
拡散板２６は、凸条部２９が導光板４の出射面１２に対向するように設けられている。導光板４の出射面１２から出射された第１および第２の発光ダイオード６，７の放射光は、凸条部２９に入射して、凸条部２９の内部で拡散されて、凸条部２９から外方側に出射される。
【００５２】
そして、器具本体５の凹溝１７に基板３が配設されている。基板３は、第１および第２の発光ダイオード６，７のそれぞれの放射光が導光板４の側面４ａに入射するように、一方の面３ａが導光板４の側面４ａに対向するように配設されている。すなわち、図２に示すように、基板３の孔１１に挿入されたねじ３０により、器具本体５の凸条部１９の内壁に取り付けられている。
【００５３】
また、基板３は、図３に示すように、導光板４に対して第１および第２の発光ダイオード６，７のそれぞれの放射光の少なくとも一部が重なり合って導光板４の側面４ａに入射するように配設されている。第１および第２の発光ダイオード６，７と導光板４の側面４ａとの最小距離Ｄ１は、２．５〜５．０ｍｍ例えば３．０ｍｍとなっている。基板３において、対を成す第１および第２の発光ダイオード６，７のそれぞれの１個は、等間隔となるように実装されているので、第１および第２の発光ダイオード６，７のそれぞれの放射光は、導光板４の幅方向において、導光板４の側面４ａに等間隔で入射する。
【００５４】
そして、器具本体５の奥行き側の両側面には、図２に示すように、凹溝１６および凹溝１７を塞ぐ長方形の端板３１がそれぞれ配設されている。端板３１は、例えば器具本体５の凸条部１８，１９に図示しないねじにより取り付けられている。端板３１には、点灯装置の出力線が挿通される孔（図示しない。）が設けられている。点灯装置の出力線は、当該孔から凹溝１７に導入されて、基板３の入力端子１０ａ，１０ｂに例えばはんだ付けされて接続されている。
【００５５】
次に、本発明の一実施の形態の作用について述べる。
【００５６】
基板３の入力端子１０ａ，１０ｂに点灯装置から直流電圧（出力電圧）例えばＤＣ２４Ｖが供給されると、図５に示すＬＥＤ回路２が動作する。すなわち、ツェナーダイオードＺＤ１のツェナー電圧がトランジスタＴｒ１のベース、エミッタ間に供給され、トランジスタＴｒ１がオンして、第１の発光ダイオード６および第２の発光ダイオード７にそれぞれ電流が流れる。これにより、第１の発光ダイオード６および第２の発光ダイオード７は、それぞれ点灯（発光）し、それぞれ電球色光、白色光を放射する。
【００５７】
点灯装置からの直流電圧は、抵抗Ｒ７およびツェナーダイオードＺＤ１の直列回路で分圧され、抵抗Ｒ７の両端間電圧が第１の直列回路８および第２の直列回路９のそれぞれの両端間に印加される。これにより、第１の発光ダイオード６および第２の発光ダイオード７にそれぞれ流れる電流が同等となり、点灯装置からの直流電圧が変動しても、第１の発光ダイオード６から放射される光量と第２の発光ダイオード７から放射される光量の割合が同等となる。
【００５８】
第１および第２の発光ダイオード６，７から放射されたそれぞれの放射光は、図１に示すように、導光板４の幅側の一方の側面４ａから導光板４の内部に入射し、導光板４の下面４ｄおよび器具本体５の凹溝１６の底面１６ａで上面４ｃ側に反射され、導光板４の上面４ｃおよびスペーサ２４で下面４ｄ側に反射されて、幅側の他方の側面４ｂ側に導光される。そして、出射面１２に対向する下面４ｄ側で反射された放射光の多くが出射面１２から出射される。
【００５９】
そして、導光板４の下面４ｄには、一方の側面４ａ側から他方の側面４ｂに向かうにつれ、大きさ（直径）が大きくなっている円状の反射膜１３が形成されているので、他方の側面４ｂに向かうにつれ次第に減少する放射光が反射膜１３により次第に多く反射されるようになる。これにより、導光板４の出射面１２から均一な放射光が出射される。出射面１２から放射された放射光は、拡散板２６の凸状部２９の内部で拡散されて、凸状部２９から外方に出射される。
【００６０】
そして、第１および第２の発光ダイオード６，７は、それぞれの放射光の少なくとも一部が重なり合って導光板４の側面４ａに入射するので、導光板４の側面４ａでのそれぞれの放射光の入射領域が小さくなっている。それぞれの放射光は、導光板４の側面４ａ側の内部で一部が既に混じり合い、残余が既に互いに近くなっているので、導光板４の上面４ｃ側および下面４ｄ側で反射が繰り返されて出射面１２側の内部に導光されたときには、互いに混じり合っている。
【００６１】
また、第１および第２の発光ダイオード６，７は、それぞれの１個が対を成して等間隔で基板３に実装されているので、それぞれの複数個から放射された放射光は、導光板４の幅方向において等間隔で側面４ａに入射する。当該放射光は、導光板４の側面４ａ側の内部において、導光板４の幅方向および奥行き方向に導光板４の上面４ｃ側および下面４ｄ側で反射が繰り返され、出射面１２側の内部に導光していく。そして、それぞれの放射光は、導光板４の幅方向および奥行き方向にそれぞれ偏りがなく反射され、導光板４の出射面１２側の内部に導光されるまでには、均一に混じり合うようになる。これにより、第１および第２の発光ダイオード６，７からの放射光は、導光板４の出射面１２の全領域から均一に出射されるようになり、拡散板２６で拡散されて外方に出射される。
【００６２】
上述したように、第１および第２の発光ダイオード６，７から放射される放射光の光量の割合を同等として、第１および第２の発光ダイオード６，７のそれぞれの放射光の少なくとも一部を重なり合わせて導光板４の側面４ａに入射させることにより、それぞれの放射光が導光板４の内部で互いに同等の割合で混じり合って導光板４の出射面１２から出射されるので、色の分離（カラーセパレーション）の発生を抑制することができ、導光板４の出射面１２での出射光の色むらや輝度むらを抑制することができて、違和感や不快感を与えにくい品質の向上する照明光を得ることができる。
【００６３】
また、第１および第２の発光ダイオード６，７の複数個のそれぞれの放射光を導光板４の側面４ａに導光板４の幅方向に等間隔で入射させることにより、それぞれの放射光を色むらや輝度むらが抑制された状態で導光板４の出射面１２の全領域から均一に出射させることができ、色むらや輝度むらが抑制された均一な照明光で被照射面を明るく照明することができる。
【００６４】
そして、第１の発光ダイオード６から放射される高演色性を有する電球色光と、第２の発光ダイオード７から放射される電球色光よりも演色性が低くかつ光量が大きい白色光が互いに同等の割合で混じり合って拡散板２６から出射されるので、高演色性の白色光で被照射面を明るく照明することができる。
【００６５】
第１および第２の発光ダイオード６，７は、それぞれの１個が対をなして互いに近傍に位置するようにして基板３に実装されているので、第１および第２の発光ダイオード６，７と導光板４の側面４ａとの最小距離Ｄ１が２．５ｍｍであっても、第１および第２の発光ダイオード６，７のそれぞれの放射光の少なくとも一部を重なり合わせて導光板４の側面４ａに入射させることができる。
【００６６】
また、前記最小距離Ｄ１が５．０ｍｍ以下であると、導光板４の側面４ａの高さを大きくすることになく、第１および第２の発光ダイオード６，７のそれぞれの放射光の少なくとも一部が重なり合って導光板４の側面４ａに入射させられる。これにより、前記放射光が導光板４の内部を導光する導光経路の全長が抑制されるので、前記放射光の損失を低減することができ、照射効率の向上する照明光を得ることができる。
【００６７】
また、基板３は、第１および第２の発光ダイオード６，７が導光板４の側面４ａに対向し、前記最小距離Ｄ１が２．５〜５．０ｍｍとなるようにして器具本体４の凹溝１７に配設されるので、導光板４の側面４ａに対する位置精度を要せずに、器具本体５に容易に配設することができる。
【００６８】
そして、それぞれ複数個の第１および第２の発光ダイオード６，７は、それぞれの１個が対を成して等間隔で基板３に実装され、ＬＥＤ回路２の抵抗Ｒ１〜抵抗Ｒ７、ツェナーダイオードＺＤ１およびトランジスタＴｒ１は、基板３において対を成す第１および第２の発光ダイオード６，７同士の間に実装されているので、基板３の大きさを最小にすることが可能となる。これにより、器具本体５の凹溝１７の大きさ、特に高さを大きくすることが回避されるので、器具本体５（ＬＥＤ照明器具１）を小形化することができる。
【００６９】
また、ＬＥＤ回路２の上記回路部品からの発熱を基板３の長手方向に分散できて、それらの発生熱を例えばアルミニウム（Ａｌ）からなる器具本体５から放熱させられるので、上記回路部品の温度上昇を抑制することができる。特に、第１および第２の発光ダイオード６，７の温度上昇が抑制されることにより、第１および第２の発光ダイオード６，７を長寿命化させることができる。
【００７０】
なお、拡散板２６に代えて、透明なガラス板やアクリル樹脂板などを配設してもよい。
【図面の簡単な説明】
【００７１】
【図１】本発明の一実施の形態を示すＬＥＤ照明器具の概略側面図。
【図２】同じく、ＬＥＤ照明器具のカバーが取り外された状態の概略上面図。
【図３】同じく、導光板の側面側における導光板および基板のそれぞれの概略上面図。
【図４】同じく、基板の概略上面図。
【図５】同じく、ＬＥＤ回路の回路図。
【符号の説明】
【００７２】
１…ＬＥＤ照明器具
２…ＬＥＤ回路
３…基板
４…導光板
５…器具本体
【図１】
2008152983.tif 000003
【図２】
2008152983.tif 000004
【図３】
2008152983.tif 000005
【図４】
2008152983.tif 000006
【図５】
2008152983.tif 000007